(57)【要約】【課題】  構造が堅実で且実用性のあるメラミン容器を提供する。【解決手段】  インナーボディ２はステンレスの材質で作られ、アウターボディ１が成型された後、該インナーボディ２をアウターボディ１の中に入れてから二つを結合させるように加工すると前記のインナーボディ２とアウターボディ１に具備される対応パーツとが互いに結合できるようになることで本発明のメラミン容器が得られる。【選択図】    図２
2007030937.tif 000002
【特許請求の範囲】
【請求項１】
アウターボディは、メラミン樹脂で作られ、底面があり、底面の上方に外周壁面を設けて、この外周壁面に上部縁面を設けて、該上部縁面に漏れ止めリングを設け、
インナーボディは、ステンレス材質で作られ、底面があり、底面の上方に外周壁面を設けて、この外周壁面に上部縁面を設け、
インナーボディの上部縁面とアウターボディの上部縁面とを結合させて、更に前記漏れ止めリングによって水分がインナーボディとアウターボディの間に浸入するのを防止するメラミン容器の構造。
【請求項２】
インナーボディとアウターボディとを結合させる前にインナーボディの上部縁面に小延長面が設けられる請求項１に記載のメラミン容器の構造。
【請求項３】
インナーボディの外周壁面とアウターボディの外周壁面との間に断熱間隔が形成される請求項１に記載のメラミン容器の構造。
【請求項４】
インナーボディはメラミン樹脂で作られ、またアウターボディはステンレス材質で作られる請求項１に記載のメラミン容器の構造。
【請求項５】
アウターボディはメラミン樹脂で作られ、且アウターボディの上部縁面においては更にステンレス材質で作られた結合リングによって結合され、更に漏れ止めリングを設ける請求項１に記載のメラミン容器の構造。
【発明の詳細な説明】
【技術分野】
【０００１】
本発明はメラミン容器の構造に関するものであり、特にアウターボディはメラミン樹脂で作られ、インナーボディはステンレス材料で作られ、アウターボディを作るメラミン樹脂粉末を高温高圧で成型した後、インナーボディとアウターボディとを結合させて、構造が堅実で実用性のあるメラミン容器が得られるものを指す。
【背景技術】
【０００２】
従来知られたメラミン容器は、図１に示されるように、メラミン容器の製造と言えば皆粉末状のメラミン樹脂を使って成型機器を通して高温高圧の方法で作られていたため、メラミン容器は最初から今まで皆ただ単層で単一の材質で作られ、即ち単純なメラミン樹脂で作られたものである。
しかしながらメラミン樹脂で作られた容器、例えば碗、皿及びトレーなどは、高温に強いとの特性があっても毛穴が金属材質より大きいため、汚れが付着しやすいし、且暫く使用すると物を載せる面に洗浄できないほどの汚れが溜まっていくことで、人々が使うのを躊躇する。
そこで、本発明の発明人は長年渡ってメラミン樹脂のメラミン容器を製造する経験を積み重ねたことに基づいて、前記のような従来知られた単一の材質で作られたメラミン容器の欠点について特に研究を加えて本発明を作り出したのである。
【発明の開示】
【発明が解決しようとする課題】
【０００３】
本発明における目的とは、構造が堅実で且実用性のあるメラミン容器を提供することにある。それはインナーボディとアウターボディを其々違った材質で予め造っておいてからより耐久性があって汚れにくいメラミン容器に加工するのである。
【課題を解決するための手段】
【０００４】
本発明のメラミン容器の構造において、メラミン樹脂で作られたアウターボディ及びステンレス材質で作られたインナーボディがあり、メラミン樹脂で作られたアウターボディはより美しい視覚的美感がある一方、ステンレス材質で作られたインナーボディは清掃しやすく、汚れにくい長所がある。
本発明のメラミン容器の構造において、インナーボディはステンレスの材質で作られ、アウターボディが成型された後、該インナーボディをアウターボディの中に入れてから二つを結合させるように加工すると前記のインナーボディとアウターボディに具備される対応パーツとが互いに結合できるようになることで本発明のメラミン容器が得られるのである。
本発明のメラミン容器の構造において、アウターボディの上部縁面とインナーボディの上部縁面との間に更に漏れ止めリングが設けてあるため、水分がインナーボディとアウターボディの間に浸入することを防止でき、メラミン容器の衛生が保てるのである。
【発明を実施するための最良の形態】
【０００５】
よって、貴審査員の皆様により本発明が理解できるために別添の図面を以って次のように説明いたします。
図２〜７に示すように、本発明の第一実施例のメラミン容器は、図示の形状にだけ限られることではなく、凡そ本発明の構造と同じ状況の下での任意の形状のメラミン容器は皆本発明の特許請求範囲内に属されるべきである。
【０００６】
その中において、本発明の第一実施例のメラミン容器は次のようなものが含まれている。
アウターボディ１があり、アウターボディ１はメラミン樹脂の粉末を高温高圧により成型されたものであり、アウターボディ１に底面１０があり、底面１０の上方にまた外周壁面１１が設けてあり、該外周壁面１１は底面１０の形状に合わせて上へ伸びることができ、続いて外周壁面１１の上方において更に上部縁面１２を設けて、該上部縁面１２の外側がちょっとした円弧状１２０を有し、また上部縁面１２には更に漏れ止めリング１３が設けてあり、該漏れ止めリング１３とは軟質の材質で、例えばシリコン、ラバーまたはプラスチック或いはその他の水分の浸入を阻止できる材質で作られたものである。
【０００７】
インナーボディ２があり、インナーボディ２はステンレス材質で作られ、更にインナーボディ２に底面２０があり、底面２０の上方に外周壁面２１が設けてあり、該外周壁面２１は底面２０の形状に合わせて上へ伸びることができ、続いて外周壁面２１の上方において更に上部縁面２２を設けておき、インナーボディ２とアウターボディ１を互いに結合させる前は、該上部縁面２２を小延長面２２０に形成させておく（図２及び図３参照）。
【０００８】
そうすると、アウターボディ１が成型された後、インナーボディ２をアウターボディ１の中に入れることができ、インナーボディ２の上方縁面２２の小延長面２２０を機器で加工して十分に前記のアウターボディ１の上部縁面１２を覆うようにし（図４〜図７参照）、更に前記のインナーボディ２の上部縁面２２が前記のアウターボディ１の上部縁面１２を覆うようにしてから、更に前記の漏れ止めリング１３を十分に挟み合わせ、そして該漏れ止めリング１３を設けることにより、水分の浸入が防止でき、且インナーボディ２の外周壁面２１と前記のアウターボディ１の外周壁面１１との間に断熱間隔Ｄ（図５参照）が形成してあるため、インナーボディ２に温度の高い食物を盛るとその高温がアウターボディ１まで伝導されることを防止でき、使用者が手で持ちやすくなるし、火傷も避けられる。
そこで上記に述べたように、本実施例のメラミン容器においては、アウターボディ１はメラミン樹脂で作られ、更にアウターボディ１に装飾用の模様を設けて、容器に優れた視覚的美感を持たせることができ、一方インナーボディ２はステンレスの材質で作られたため、清掃しやすく、汚れにくい長所を有する。
【０００９】
又、図８に示されたのは本発明の第二実施例であり、図示された第二実施例は前記の第一実施例から派生したものであり、該第二実施例と前記の第一実施例とは皆同じインナーボディ２Ａとアウターボディ１Ａを有するが、両者の材質はお互いに交換されたものであり、即ちインナーボディ２Ａはメラミン樹脂で作られ、アウターボディ１Ａはステンレスの材質で作られているが、その他の構造は前記の第一実施例と同じく、且同じ実用との長所を有する。
【００１０】
又図９に示されたのは本発明の第三実施例であり、図示された第三実施例は前記の第一実施例から派生されたものであり、該第三実施例のアウターボディ１Ｂはメラミン樹脂で作られ、更にアウターボディ１Ｂの上部縁面１Ｂ０がステンレス材質で作られた結合リング３によって固着に覆われて、且結合リング３内に漏れ止めリング３０を設けるため、前記の第一実施例と相当な、実用との長所を有するのである。
【図面の簡単な説明】
【００１１】
【図１】従来知られたものの断面図。
【図２】本発明の第一実施例において結合する前の分解図。
【図３】本発明の第一実施例において結合する前の一部を拡大した分解図。
【図４】本発明の第一実施例においてその俯瞰図。
【図５】図４のＡ−Ａ線の断面図。
【図６】図５のＡの部分の拡大図。
【図７】本発明の第一実施例の立体に見た斜視図。
【図８】本発明の第二実施例の断面図。
【図９】本発明の第三実施例の断面図。
【符号の説明】
【００１２】
１  アウターボディ、１０  底面、１１  外周壁面、１２  上部縁面、１２０  弧状、１３  漏れ止めリング、２  インナーボディ、２０  底面、２１  外周壁面、２２  上部縁面、２２０  小延長面、２Ａ  インナーボディ、１Ａ  アウターボディ、２Ｂ  インナーボディ、１Ｂ  アウターボディ、２Ｂ０、１Ｂ０  上部縁面、３  結合リング、３０  漏れ止めリング、Ｄ  断熱間隔
【図１】
2007030937.tif 000003
【図２】
2007030937.tif 000004
【図３】
2007030937.tif 000005
【図４】
2007030937.tif 000006
【図５】
2007030937.tif 000007
【図６】
2007030937.tif 000008
【図７】
2007030937.tif 000009
【図８】
2007030937.tif 000010
【図９】
2007030937.tif 000011